(57)【特許請求の範囲】
【請求項１】
被記録媒体を収納する複数種類のカートリッジを着脱可能に構成された装着部と、
前記装着部に装着されたカートリッジの被記録媒体に対して印刷を施す印刷手段と、を有する印刷装置であって、
予め出力態様が規定された規定印刷データを記憶する規定印刷データ記憶手段と、
前記規定印刷データ記憶手段に記憶された規定印刷データの中から、所望の規定印刷データを選択する選択手段と、
前記複数種類のカートリッジから、前記装着部に装着されている一のカートリッジの種類を特定するカートリッジ種類特定手段と、
前記印刷手段による被記録媒体の使用実績を示す使用実績情報を、前記カートリッジの種類毎に記憶する使用実績記憶手段と、
前記選択手段により選択された規定印刷データの出力態様を示し、前記規定印刷データの出力に適した適正配色条件を含む出力条件と、前記使用実績記憶手段に記憶され、且つ、前記カートリッジ種類特定手段により特定されたカートリッジの種類に係る使用実績情報に基づいて、当該規定印刷データの出力に用いるカートリッジに関する情報を、当該使用実績情報に対応する内容で報知する報知手段と、
前記カートリッジに収納されている被記録媒体の種類に応じて定まり、前記印刷手段によって当該被記録媒体に対して印刷可能な条件を示し、前記カートリッジに収納されている被記録媒体の種類に応じて規定される出力色条件を示す出力色情報を含むカートリッジ条件情報を、前記カートリッジの種類毎に記憶するカートリッジ条件記憶手段と、
前記カートリッジ種類特定手段により特定されたカートリッジの種類に基づいて、前記カートリッジ条件記憶手段に記憶されているカートリッジ条件情報の中から、前記装着部に装着されたカートリッジに係るカートリッジ条件情報を特定するカートリッジ条件特定手段と、を有し、
前記報知手段は、
前記選択手段により選択された規定印刷データの出力態様を示す出力条件と、前記カートリッジ条件記憶手段に記憶され、且つ、前記カートリッジ条件特定手段により特定されたカートリッジ条件情報と、に基づいて、当該規定印刷データの出力に関し、前記装着部に装着されているカートリッジの適性を判定する適性判定手段と、
前記適性判定手段による判定結果と、前記使用実績記憶手段に記憶され、且つ、前記装着部に装着されたカートリッジの種類に係る使用実績情報に基づいて、当該規定印刷データの出力に用いるカートリッジに関する情報の内容を特定して報知する報知制御手段と、を有し、
前記適性判定手段は、
前記選択手段により選択された規定印刷データの出力条件における適正配色条件と、前記カートリッジ条件記憶手段に記憶され、且つ、前記カートリッジ条件特定手段により特定されたカートリッジ条件情報における出力色情報と、に基づいて、前記装着部に装着されているカートリッジに対して、当該規定印刷データを、前記適正配色条件に係る配色で印刷可能であるか否かを判定し、
前記報知制御手段は、
前記適性判定手段によって、前記装着部に装着されているカートリッジに対して、当該規定印刷データを、前記適正配色条件に係る配色で印刷不能であると判定された場合、当該適正配色条件で印刷可能なカートリッジの種類を特定し、前記使用実績記憶手段に記憶され、且つ、特定されたカートリッジに係る使用実績情報に基づいて、当該規定印刷データを印刷可能なカートリッジの種類を、当該カートリッジの使用実績に応じた内容で報知する
ことを特徴とする印刷装置。
【請求項２】
請求項１記載の印刷装置であって、
前記出力条件は、前記規定印刷データに基づいて出力する際の出力範囲を含み、
前記カートリッジ条件情報は、前記カートリッジに収納されている被記録媒体に対して印刷可能な印刷範囲を示す印刷範囲情報を含み、
前記適性判定手段は、
前記選択手段により選択された規定印刷データの出力条件における出力範囲と、前記カートリッジ条件記憶手段に記憶され、且つ、前記カートリッジ条件特定手段により特定されたカートリッジ条件情報における印刷範囲情報と、に基づいて、当該規定印刷データを、前記装着部に装着されているカートリッジに対して、印刷可能であるか否かを判定し、 
前記報知制御手段は、
前記適性判定手段によって、前記装着部に装着されているカートリッジに対して、当該規定印刷データを印刷不能であると判定された場合、当該規定印刷データを印刷可能なカートリッジの種類を特定し、前記使用実績記憶手段に記憶され、且つ、特定されたカートリッジに係る使用実績情報に基づいて、当該規定印刷データを印刷可能なカートリッジの種類を、当該カートリッジの使用実績に応じた内容で報知する
ことを特徴とする印刷装置。
【請求項３】
被記録媒体を収納する複数種類のカートリッジを着脱可能に構成された装着部と、
前記装着部に装着されたカートリッジの被記録媒体に対して印刷を施す印刷手段と、
種々の情報を記憶する記憶手段と、
前記印刷手段による印刷に関する種々の制御を行う制御手段と、を有する印刷装置の
制御プログラムであって、
前記制御手段に、
前記記憶手段に記憶され、予め出力態様が規定された規定印刷データから、所望の規定印刷データの選択を受け付ける選択手順と、
前記複数種類のカートリッジから、前記装着部に装着されている一のカートリッジの種類を特定するカートリッジ種類特定手順と、
前記記憶手段に前記カートリッジの種類毎に記憶されており、且つ、前記カートリッジに収納されている被記録媒体の種類に応じて定まり、前記印刷手段によって当該被記録媒体に対して印刷可能な条件を示し、前記カートリッジに収納されている被記録媒体の種類に応じて規定される出力色条件を示す出力色情報を含むカートリッジ条件情報から、前記特定されたカートリッジの種類に基づいて、前記装着部に装着されたカートリッジに係るカートリッジ条件情報を特定するカートリッジ条件特定手順と、
前記記憶手段に前記カートリッジの種類毎に記憶され、前記印刷手段による被記録媒体の使用実績を示す使用実績情報の内、特定されたカートリッジの種類に係る使用実績情報と、選択された規定印刷データの出力態様を示し、前記規定印刷データの出力に適した適正配色条件を含む出力条件に基づいて、当該規定印刷データの出力に用いるカートリッジに関する情報を、当該使用実績情報に対応する内容で報知する報知手順と、を実行させ、
前記報知手順において、
前記選択された規定印刷データの出力態様を示す出力条件と、前記カートリッジ条件特定手順によって特定されたカートリッジ条件情報と、に基づいて、当該規定印刷データの出力に関し、前記装着部に装着されているカートリッジの適性を判定する適性判定手順と、
前記適性判定手順における判定結果と、前記特定されたカートリッジの種類に係る使用実績情報に基づいて、当該規定印刷データの出力に用いるカートリッジに関する情報の内容を特定して報知する報知制御手順と、を実行させ、
前記適性判定手順において、
前記選択手順により選択された規定印刷データの出力条件に含まれ、前記規定印刷データの出力に適した適正配色条件と、前記カートリッジ条件特定手順によって特定されたカートリッジ条件情報に含まれ、前記カートリッジに収納されている被記録媒体の種類に応じて規定される出力色条件を示す出力色情報と、に基づいて、前記装着部に装着されているカートリッジに対して、当該規定印刷データを、前記適正配色条件に係る配色で印刷可能であるか否かを判定させ、
前記報知制御手順において、
前記装着部に装着されているカートリッジに対して、当該規定印刷データを、前記適正配色条件に係る配色で印刷不能であると判定された場合、当該適正配色条件で印刷可能なカートリッジの種類を特定させ、特定されたカートリッジに係る使用実績情報に基づいて、当該規定印刷データを印刷可能なカートリッジの種類を、当該カートリッジの使用実績に応じた内容で報知させる
ことを特徴とする印刷装置の制御プログラム。
【請求項４】
請求項３記載の印刷装置の制御プログラムであって、
前記制御手段に、
前記適性判定手順において、
前記選択された規定印刷データの出力条件に含まれ、当該規定印刷データに基づいて出力する際の出力範囲と、前記カートリッジ条件特定手順によって特定されたカートリッジ条件情報に含まれ、当該カートリッジに収納されている被記録媒体に対して印刷可能な印刷範囲を示す印刷範囲情報と、に基づいて、当該規定印刷データを、前記装着部に装着されているカートリッジに対して、印刷可能であるか否かを判定させ、
前記報知制御手順において、
前記装着部に装着されているカートリッジに対して、当該規定印刷データを印刷不能であると判定された場合、当該規定印刷データを印刷可能なカートリッジの種類を特定させ、特定されたカートリッジに係る使用実績情報に基づいて、当該規定印刷データを印刷可能なカートリッジの種類を、当該カートリッジの使用実績に応じた内容で報知させる
ことを特徴とする印刷装置の制御プログラム。
【請求項５】
被記録媒体を収納する複数種類のカートリッジを着脱可能に構成された装着部と、
前記装着部に装着されたカートリッジの被記録媒体に対して印刷を施す印刷手段と、を有する印刷装置と、
前記印刷手段による印刷に関する種々の制御を行う制御手段と、を備える制御装置と、を有する印刷システムであって、 
予め出力態様が規定された規定印刷データを記憶する記憶手段と、
前記印刷装置による被記録媒体の使用実績を示す使用実績情報を、前記カートリッジの種類毎に記憶する使用実績記憶手段と、
前記カートリッジに収納されている被記録媒体の種類に応じて定まり、前記印刷手段によって当該被記録媒体に対して印刷可能な条件を示し、前記カートリッジに収納されている被記録媒体の種類に応じて規定される出力色条件を示す出力色情報を含むカートリッジ条件情報を、前記カートリッジの種類毎に記憶するカートリッジ条件記憶手段と、を有し、
前記制御装置は、
前記記憶手段に記憶されている規定印刷データの中から、所望の規定印刷データを選択する選択手段と、
前記複数種類のカートリッジから、前記装着部に装着されている一のカートリッジの種類を特定するカートリッジ種類特定手段と、
前記カートリッジ種類特定手段により特定されたカートリッジの種類に基づいて、前記カートリッジ条件記憶手段に記憶されているカートリッジ条件情報の中から、前記装着部に装着されたカートリッジに係るカートリッジ条件情報を特定するカートリッジ条件特定手段と、
前記選択手段により選択された規定印刷データの出力態様を示し、前記規定印刷データの出力に適した適正配色条件を含む出力条件と、前記使用実績記憶手段に記憶され、且つ、前記カートリッジ種類特定手段により特定されたカートリッジの種類に係る使用実績情報に基づいて、当該規定印刷データの出力に用いるカートリッジに関する情報を、当該使用実績情報に対応する内容で報知する報知手段と、を有し、
前記報知手段は、
前記選択手段により選択された規定印刷データの出力態様を示す出力条件と、前記カートリッジ条件記憶手段に記憶され、且つ、前記カートリッジ条件特定手段により特定されたカートリッジ条件情報と、に基づいて、当該規定印刷データの出力に関し、前記装着部に装着されているカートリッジの適性を判定する適性判定手段と、
前記適性判定手段による判定結果と、前記使用実績記憶手段に記憶され、且つ、前記装着部に装着されたカートリッジの種類に係る使用実績情報に基づいて、当該規定印刷データの出力に用いるカートリッジに関する情報の内容を特定して報知する報知制御手段と、を有し、
前記適性判定手段は、
前記選択手段により選択された規定印刷データの出力条件における適正配色条件と、前記カートリッジ条件記憶手段に記憶され、且つ、前記カートリッジ条件特定手段により特定されたカートリッジ条件情報における出力色情報と、に基づいて、前記装着部に装着されているカートリッジに対して、当該規定印刷データを、前記適正配色条件に係る配色で印刷可能であるか否かを判定し、
前記報知制御手段は、
前記適性判定手段によって、前記装着部に装着されているカートリッジに対して、当該規定印刷データを、前記適正配色条件に係る配色で印刷不能であると判定された場合、当該適正配色条件で印刷可能なカートリッジの種類を特定し、前記使用実績記憶手段に記憶され、且つ、特定されたカートリッジに係る使用実績情報に基づいて、当該規定印刷データを印刷可能なカートリッジの種類を、当該カートリッジの使用実績に応じた内容で報知する
ことを特徴とする印刷システム。
【発明の詳細な説明】
【技術分野】
【０００１】
本発明は、複数種類のカートリッジを装着可能に構成され、装着されたカートリッジの被記録媒体に印刷可能な印刷装置、印刷装置の制御プログラム、印刷システムに関する。
【背景技術】
【０００２】
従来、印刷装置においては、複数種類のカートリッジを装着部に対して選択的に装着可能に構成され、装着部に装着されたカートリッジの被記録媒体に対して印刷を施すものが知られている。このような印刷装置に関する発明として、特許文献１記載の発明が知られている。当該特許文献１記載の印字ラベル作成装置は、複数種類のカートリッジをカートリッジホルダに選択的に装着可能に構成されており、当該カートリッジホルダに装着されているカートリッジのテープに対して、印字データに基づく印刷を施すように構成されている。
【０００３】
特許文献１記載の印字ラベル作成装置は、印字内容を示すラベル印字情報及び当該印字内容に適合するテープの要件（例えば、幅、材質、色等の条件）と、カートリッジホルダに装着されているカートリッジの種類を照合する。当該カートリッジの種類は、カートリッジ内のテープの幅、材質、インクリボン等に基づく印刷色、基材テープ等による背景色によって規定されている。ラベル印字情報の印字に適合するテープの要件と、カートリッジの種類の照合結果が適合しなかった場合、当該印字ラベル作成装置は、カートリッジを交換すべき旨のメッセージと共に、新たに装着すべきカートリッジの種類に関するガイダンスメッセージを、液晶ディスプレイに表示する。
【先行技術文献】
【特許文献】
【０００４】
【特許文献１】特開２０１０−２１４８３２号公報
【発明の概要】
【発明が解決しようとする課題】
【０００５】
ここで、特許文献１に係る発明のように、複数種類のカートリッジを使用可能に構成された印刷装置の場合、ユーザは、使用可能な複数種類のカートリッジから、任意のカートリッジを購入して使用する。従って、カートリッジの種類によっては、ユーザが購入したことも使用したこともない（即ち、使用実績のない）種類のカートリッジが存在する場合がある。
【０００６】
又、特許文献１記載の印字ラベル作成装置は、ラベル印字情報の印字に適合するテープの要件と、カートリッジの種類の照合結果が適合しなかった場合、画一的なガイダンスメッセージを液晶ディスプレイに表示する。従って、当該特許文献１においては、ガイダンスメッセージが画一的であるため、当該ガイダンスメッセージが含む「新たに装着すべきカートリッジを特定する為の情報量」も一定となってしまう。
【０００７】
一方、新たに装着すべきカートリッジを特定する為に必要な情報量は、ガイダンスメッセージを受け取るユーザの状況によって相違する。具体的には、当該ガイダンスメッセージの示すカートリッジについて、使用実績のあるユーザにとっては、ガイダンスメッセージには、必要最小限の情報量があれば、新たに装着すべきカートリッジの種類を特定することができるが、使用実績のないユーザにとっては、使用実績のあるユーザと同じ情報量では特定することができず、更に多くの「新たに装着すべきカートリッジを特定する為の情報」が必要となる。
【０００８】
従って、特許文献１のように、画一的なガイダンスメッセージを表示する場合、当該ガイダンスメッセージの情報量を「使用実績のあるユーザ」を基準に設定してしまうと、「使用実績のないユーザ」にとっては、情報量が不足し、新たに装着すべきカートリッジの種類を特定し得ない状況が生まれてしまう。又、「使用実績のないユーザ」を基準に設定した場合、「使用実績のあるユーザ」にとっては、特に必要としない情報が含まれてしまい、迂遠なガイダンスメッセージとなってしまう。
【０００９】
本発明は、複数種類のカートリッジを装着可能に構成され、装着されたカートリッジの被記録媒体に印刷可能な印刷装置等に関し、印刷に用いるカートリッジの情報を、使用実績に基づく適切な態様で報知可能な印刷装置等を提供する。
【課題を解決するための手段】
【００１０】
本発明の請求項１に係る印刷装置は、被記録媒体を収納する複数種類のカートリッジを着脱可能に構成された装着部と、前記装着部に装着されたカートリッジの被記録媒体に対して印刷を施す印刷手段と、を有する印刷装置であって、予め出力態様が規定された規定印刷データを記憶する規定印刷データ記憶手段と、前記規定印刷データ記憶手段に記憶された規定印刷データの中から、所望の規定印刷データを選択する選択手段と、前記複数種類のカートリッジから、前記装着部に装着されている一のカートリッジの種類を特定するカートリッジ種類特定手段と、前記印刷手段による被記録媒体の使用実績を示す使用実績情報を、前記カートリッジの種類毎に記憶する使用実績記憶手段と、前記選択手段により選択された規定印刷データの出力態様を示し、前記規定印刷データの出力に適した適正配色条件を含む出力条件と、前記使用実績記憶手段に記憶され、且つ、前記カートリッジ種類特定手段により特定されたカートリッジの種類に係る使用実績情報に基づいて、当該規定印刷データの出力に用いるカートリッジに関する情報を、当該使用実績情報に対応する内容で報知する報知手段と、前記カートリッジに収納されている被記録媒体の種類に応じて定まり、前記印刷手段によって当該被記録媒体に対して印刷可能な条件を示し、前記カートリッジに収納されている被記録媒体の種類に応じて規定される出力色条件を示す出力色情報を含むカートリッジ条件情報を、前記カートリッジの種類毎に記憶するカートリッジ条件記憶手段と、前記カートリッジ種類特定手段により特定されたカートリッジの種類に基づいて、前記カートリッジ条件記憶手段に記憶されているカートリッジ条件情報の中から、前記装着部に装着されたカートリッジに係るカートリッジ条件情報を特定するカートリッジ条件特定手段と、を有し、前記報知手段は、前記選択手段により選択された規定印刷データの出力態様を示す出力条件と、前記カートリッジ条件記憶手段に記憶され、且つ、前記カートリッジ条件特定手段により特定されたカートリッジ条件情報と、に基づいて、当該規定印刷データの出力に関し、前記装着部に装着されているカートリッジの適性を判定する適性判定手段と、前記適性判定手段による判定結果と、前記使用実績記憶手段に記憶され、且つ、前記装着部に装着されたカートリッジの種類に係る使用実績情報に基づいて、当該規定印刷データの出力に用いるカートリッジに関する情報の内容を特定して報知する報知制御手段と、を有し、前記適性判定手段は、前記選択手段により選択された規定印刷データの出力条件における適正配色条件と、前記カートリッジ条件記憶手段に記憶され、且つ、前記カートリッジ条件特定手段により特定されたカートリッジ条件情報における出力色情報と、に基づいて、前記装着部に装着されているカートリッジに対して、当該規定印刷データを、前記適正配色条件に係る配色で印刷可能であるか否かを判定し、前記報知制御手段は、前記適性判定手段によって、前記装着部に装着されているカートリッジに対して、当該規定印刷データを、前記適正配色条件に係る配色で印刷不能であると判定された場合、当該適正配色条件で印刷可能なカートリッジの種類を特定し、前記使用実績記憶手段に記憶され、且つ、特定されたカートリッジに係る使用実績情報に基づいて、当該規定印刷データを印刷可能なカートリッジの種類を、当該カートリッジの使用実績に応じた内容で報知することを特徴とする。
【００１１】
当該印刷装置は、装着部と、印刷手段とを有しており、複数種類のカートリッジから選択的に装着部に装着されたカートリッジの被記録媒体に対して、印刷手段によって印刷を行い得る。又、当該印刷装置は、規定印刷データ記憶手段と、選択手段と、カートリッジ種類特定手段と、使用実績記憶手段と、報知手段と、を有している。そして、当該印刷装置は、選択手段により選択された規定印刷データの出力態様を示す出力条件と、使用実績記憶手段に記憶され、且つ、カートリッジ種類特定手段により特定されたカートリッジの種類に係る使用実績情報に基づいて、当該規定印刷データの出力に用いるカートリッジに関する情報を、当該使用実績情報に対応する内容で報知する。従って、当該印刷装置は、規定印刷データの出力条件と、カートリッジ種類特定手段により特定されたカートリッジの種類に基づいて、特定されたカートリッジについて、当該規定印刷データの出力に関する適否を特定し得る。更に、当該印刷装置は、当該規定印刷データの出力に用いるカートリッジに関する情報を、当該使用実績情報に対応する内容で報知する為、使用実績の有無に関わらず、当該規定印刷データの出力に用いるカートリッジに関する情報を、適切な態様でユーザに伝達し得る。
そして、当該印刷装置は、カートリッジ条件記憶手段と、カートリッジ条件特定手段と、を有しており、カートリッジ種類特定手段は、装着部に装着されている一のカートリッジの種類を特定する。従って、当該印刷装置は、カートリッジ条件特定手段によって、カートリッジ条件記憶手段に記憶されているカートリッジ条件情報の中から、装着部に装着されたカートリッジに係るカートリッジ条件情報を特定し得る。そして、報知手段は、適性判定手段により、選択された規定印刷データの出力条件と、カートリッジ条件特定手段によって特定されたカートリッジ条件情報に基づいて、当該規定印刷データの出力に関し、装着部に装着されたカートリッジの適性を判定し、報知制御手段によって、当該判定結果と、装着部に装着されたカートリッジの種類に係る使用実績情報に基づいて、当該規定印刷データの出力に用いるカートリッジに関する情報の内容を特定して報知する。従って、当該印刷装置は、装着部に装着されたカートリッジの適性を踏まえ、且つ、使用実績に応じた態様で、当該規定印刷データの出力に用いるカートリッジに関する情報を報知する。この結果、ユーザは、当該規定印刷データの出力に用いるカートリッジに関する情報を、装着部に装着されたカートリッジの適性及び使用実績を踏まえた態様で把握することができる。
更に、当該印刷装置において、出力条件は、規定印刷データの出力に適した適正配色条件を含み、カートリッジ条件情報は、出力色情報を含んでいる。当該印刷装置は、適性判定手段によって、選択された規定印刷データの適正配色条件と、カートリッジ条件特定手段により特定されたカートリッジの印刷範囲情報に基づいて、当該規定印刷データを、装着部に装着されたカートリッジの被記録媒体に適正な配色で出力可能であるか否かを判定する。そして、前記装着部に装着されているカートリッジに対して、当該規定印刷データを適正配色条件に係る配色で印刷不能であると判定された場合、当該印刷装置は、適正配色条件に係る配色で当該規定印刷データを印刷可能なカートリッジの種類を、当該カートリッジの使用実績に応じた内容で報知する。従って、当該印刷装置によれば、装着部に装着されているカートリッジを用いて、選択された規定印刷データを適正な配色で出力し得ない場合であっても、ユーザは、当該規定印刷データを適正な配色で出力可能なカートリッジの種類を確実に特定することができる。
【００１４】
又、請求項２記載の印刷装置は、請求項１記載の印刷装置であって、前記出力条件は、前記規定印刷データに基づいて出力する際の出力範囲を含み、前記カートリッジ条件情報は、前記カートリッジに収納されている被記録媒体に対して印刷可能な印刷範囲を示す印刷範囲情報を含み、前記適性判定手段は、前記選択手段により選択された規定印刷データの出力条件における出力範囲と、前記カートリッジ条件記憶手段に記憶され、且つ、前記カートリッジ条件特定手段により特定されたカートリッジ条件情報における印刷範囲情報と、に基づいて、当該規定印刷データを、前記装着部に装着されているカートリッジに対して、印刷可能であるか否かを判定し、前記報知制御手段は、前記適性判定手段によって、前記装着部に装着されているカートリッジに対して、当該規定印刷データを印刷不能であると判定された場合、当該規定印刷データを印刷可能なカートリッジの種類を特定し、前記使用実績記憶手段に記憶され、且つ、特定されたカートリッジに係る使用実績情報に基づいて、当該規定印刷データを印刷可能なカートリッジの種類を、当該カートリッジの使用実績に応じた内容で報知することを特徴とする。
【００１５】
当該印刷装置において、出力条件は、規定印刷データを出力する際の出力範囲を含み、カートリッジ条件情報は、印刷範囲情報を含んでいる。当該印刷装置は、適性判定手段によって、選択された規定印刷データの出力範囲と、カートリッジ条件特定手段により特定されたカートリッジの印刷範囲情報に基づいて、当該規定印刷データを、装着部に装着されたカートリッジの被記録媒体に印刷可能であるか否かを判定する。そして、前記装着部に装着されているカートリッジに対して、当該規定印刷データを印刷不能であると判定された場合、当該印刷装置は、当該規定印刷データを印刷可能なカートリッジの種類を、当該カートリッジの使用実績に応じた内容で報知する。従って、当該印刷装置によれば、装着部に装着されているカートリッジを用いて、選択された規定印刷データを出力し得ない場合であっても、ユーザは、当該規定印刷データを出力可能なカートリッジの種類を確実に特定することができる。
【００１８】
そして、請求項３記載の印刷装置の制御プログラムは、被記録媒体を収納する複数種類のカートリッジを着脱可能に構成された装着部と、前記装着部に装着されたカートリッジの被記録媒体に対して印刷を施す印刷手段と、種々の情報を記憶する記憶手段と、前記印刷手段による印刷に関する種々の制御を行う制御手段と、を有する印刷装置の制御プログラムであって、前記制御手段に、前記記憶手段に記憶され、予め出力態様が規定された規定印刷データから、所望の規定印刷データの選択を受け付ける選択手順と、前記複数種類のカートリッジから、前記装着部に装着されている一のカートリッジの種類を特定するカートリッジ種類特定手順と、前記記憶手段に前記カートリッジの種類毎に記憶されており、且つ、前記カートリッジに収納されている被記録媒体の種類に応じて定まり、前記印刷手段によって当該被記録媒体に対して印刷可能な条件を示し、前記カートリッジに収納されている被記録媒体の種類に応じて規定される出力色条件を示す出力色情報を含むカートリッジ条件情報から、前記特定されたカートリッジの種類に基づいて、前記装着部に装着されたカートリッジに係るカートリッジ条件情報を特定するカートリッジ条件特定手順と、前記記憶手段に前記カートリッジの種類毎に記憶され、前記印刷手段による被記録媒体の使用実績を示す使用実績情報の内、特定されたカートリッジの種類に係る使用実績情報と、選択された規定印刷データの出力態様を示し、前記規定印刷データの出力に適した適正配色条件を含む出力条件に基づいて、当該規定印刷データの出力に用いるカートリッジに関する情報を、当該使用実績情報に対応する内容で報知する報知手順と、を実行させ、前記報知手順において、前記選択された規定印刷データの出力態様を示す出力条件と、前記カートリッジ条件特定手順によって特定されたカートリッジ条件情報と、に基づいて、当該規定印刷データの出力に関し、前記装着部に装着されているカートリッジの適性を判定する適性判定手順と、前記適性判定手順における判定結果と、前記特定されたカートリッジの種類に係る使用実績情報に基づいて、当該規定印刷データの出力に用いるカートリッジに関する情報の内容を特定して報知する報知制御手順と、を実行させ、前記適性判定手順において、前記選択手順により選択された規定印刷データの出力条件に含まれ、前記規定印刷データの出力に適した適正配色条件と、前記カートリッジ条件特定手順によって特定されたカートリッジ条件情報に含まれ、前記カートリッジに収納されている被記録媒体の種類に応じて規定される出力色条件を示す出力色情報と、に基づいて、前記装着部に装着されているカートリッジに対して、当該規定印刷データを、前記適正配色条件に係る配色で印刷可能であるか否かを判定させ、前記報知制御手順において、前記装着部に装着されているカートリッジに対して、当該規定印刷データを、前記適正配色条件に係る配色で印刷不能であると判定された場合、当該適正配色条件で印刷可能なカートリッジの種類を特定させ、特定されたカートリッジに係る使用実績情報に基づいて、当該規定印刷データを印刷可能なカートリッジの種類を、当該カートリッジの使用実績に応じた内容で報知させることを特徴とする。
【００１９】
当該印刷装置の制御プログラムは、装着部と、印刷手段と、記憶手段と、制御手段を有する印刷装置において、制御手段により実行される。当該印刷装置の制御プログラムは、制御手段によって実行されることで、請求項１記載の印刷装置と同様の効果を奏する。
【００２２】
又、請求項４記載の印刷装置の制御プログラムは、請求項３記載の印刷装置の制御プログラムであって、前記制御手段に、前記適性判定手順において、前記選択された規定印刷データの出力条件に含まれ、当該規定印刷データに基づいて出力する際の出力範囲と、前記カートリッジ条件特定手順によって特定されたカートリッジ条件情報に含まれ、当該カートリッジに収納されている被記録媒体に対して印刷可能な印刷範囲を示す印刷範囲情報と、に基づいて、当該規定印刷データを、前記装着部に装着されているカートリッジに対して、印刷可能であるか否かを判定させ、前記報知制御手順において、前記装着部に装着されているカートリッジに対して、当該規定印刷データを印刷不能であると判定された場合、当該規定印刷データを印刷可能なカートリッジの種類を特定させ、特定されたカートリッジに係る使用実績情報に基づいて、当該規定印刷データを印刷可能なカートリッジの種類を、当該カートリッジの使用実績に応じた内容で報知させることを特徴とする。
【００２３】
当該印刷装置の制御プログラムは、制御手段によって実行されることで、請求項２記載の印刷装置と同様の効果を奏する。
【００２６】
そして、請求項５に係る印刷システムは、被記録媒体を収納する複数種類のカートリッジを着脱可能に構成された装着部と、前記装着部に装着されたカートリッジの被記録媒体に対して印刷を施す印刷手段と、を有する印刷装置と、前記印刷手段による印刷に関する種々の制御を行う制御手段と、を備える制御装置と、を有する印刷システムであって、予め出力態様が規定された規定印刷データを記憶する記憶手段と、前記印刷装置による被記録媒体の使用実績を示す使用実績情報を、前記カートリッジの種類毎に記憶する使用実績記憶手段と、前記カートリッジに収納されている被記録媒体の種類に応じて定まり、前記印刷手段によって当該被記録媒体に対して印刷可能な条件を示し、前記カートリッジに収納されている被記録媒体の種類に応じて規定される出力色条件を示す出力色情報を含むカートリッジ条件情報を、前記カートリッジの種類毎に記憶するカートリッジ条件記憶手段と、を有し、前記制御装置は、前記記憶手段に記憶されている規定印刷データの中から、所望の規定印刷データを選択する選択手段と、前記複数種類のカートリッジから、前記装着部に装着されている一のカートリッジの種類を特定するカートリッジ種類特定手段と、前記カートリッジ種類特定手段により特定されたカートリッジの種類に基づいて、前記カートリッジ条件記憶手段に記憶されているカートリッジ条件情報の中から、前記装着部に装着されたカートリッジに係るカートリッジ条件情報を特定するカートリッジ条件特定手段と、前記選択手段により選択された規定印刷データの出力態様を示し、前記規定印刷データの出力に適した適正配色条件を含む出力条件と、前記使用実績記憶手段に記憶され、且つ、前記カートリッジ種類特定手段により特定されたカートリッジの種類に係る使用実績情報に基づいて、当該規定印刷データの出力に用いるカートリッジに関する情報を、当該使用実績情報に対応する内容で報知する報知手段と、を有し、前記報知手段は、前記選択手段により選択された規定印刷データの出力態様を示す出力条件と、前記カートリッジ条件記憶手段に記憶され、且つ、前記カートリッジ条件特定手段により特定されたカートリッジ条件情報と、に基づいて、当該規定印刷データの出力に関し、前記装着部に装着されているカートリッジの適性を判定する適性判定手段と、前記適性判定手段による判定結果と、前記使用実績記憶手段に記憶され、且つ、前記装着部に装着されたカートリッジの種類に係る使用実績情報に基づいて、当該規定印刷データの出力に用いるカートリッジに関する情報の内容を特定して報知する報知制御手段と、を有し、前記適性判定手段は、前記選択手段により選択された規定印刷データの出力条件における適正配色条件と、前記カートリッジ条件記憶手段に記憶され、且つ、前記カートリッジ条件特定手段により特定されたカートリッジ条件情報における出力色情報と、に基づいて、前記装着部に装着されているカートリッジに対して、当該規定印刷データを、前記適正配色条件に係る配色で印刷可能であるか否かを判定し、前記報知制御手段は、前記適性判定手段によって、前記装着部に装着されているカートリッジに対して、当該規定印刷データを、前記適正配色条件に係る配色で印刷不能であると判定された場合、当該適正配色条件で印刷可能なカートリッジの種類を特定し、前記使用実績記憶手段に記憶され、且つ、特定されたカートリッジに係る使用実績情報に基づいて、当該規定印刷データを印刷可能なカートリッジの種類を、当該カートリッジの使用実績に応じた内容で報知することを特徴とする。
【００２７】
当該印刷システムは、印刷装置と、制御装置と、記憶手段と、使用実績記憶手段と、カートリッジ条件記憶手段と、を有して構成されており、印刷装置は、装着部と、印刷手段とを有している。そして、制御装置は、制御手段と、選択手段と、カートリッジ種類特定手段と、カートリッジ条件特定手段と、報知手段とを有している。即ち、当該印刷システムは、上述した請求項１に係る印刷装置及び請求項３に係る印刷装置の制御プログラムと同様の効果を奏する。
【図面の簡単な説明】
【００２８】
【図１】第１実施形態に係るテープ印刷装置の上面図である。
【図２】テープ印刷装置の側面図である。
【図３】テープ印刷装置のカセット収納部周辺を示す説明図である。
【図４】テープ印刷装置の制御系を示すブロック図である。
【図５】カセット種類特定テーブルの一例を示す説明図である。
【図６】使用実績情報記憶領域の記憶内容の一例を示す説明図である。
【図７】規定ラベルデータ記憶領域の記憶内容の一例を示す説明図である。
【図８】ラベル印刷処理プログラムのフローチャートである。
【図９】推奨テープカセット報知画面の一例を示す説明図である。
【図１０】印刷可能カセット報知処理プログラムのフローチャートである。
【図１１】印刷可能カセット報知画面（１）の説明図である。
【図１２】印刷可能カセット報知画面（２）の説明図である。
【図１３】第２実施形態に係る印刷システムに関する説明図である。
【発明を実施するための形態】
【００２９】
（第１実施形態）
以下、本発明に係るテープ印刷装置を、テープカセットのテープに対して印刷を行うテープ印刷装置１に具体化した実施形態について、図面を参照しつつ詳細に説明する。
【００３０】
先ず、第１実施形態に係るテープ印刷装置の概略構成について図１及び図２に基づき説明する。図１及び図２に示すように、第１実施形態に係るテープ印刷装置１は、本体筐体２を有しており、本体筐体２内部にテープ印刷装置１を構成する各種構成部品を格納している。本体筐体２上面の後方には、収納カバー３が開閉自在に軸支されている。当該収納カバー３は、本体筐体２内部に形成されたカセット収納部２０の上方を覆う。
【００３１】
カセット収納部２０には、後述するテープカセット３０が着脱可能に装着される。そして、カセット収納部２０には、プラテンローラ２１と、テープサブローラ２２と、テープ駆動ローラ軸２３と、リボン巻取軸２４と、サーマルヘッド２５と、切断装置４０が配設されている（図３参照）。カセット収納部２０及びテープカセット３０の構成については、後に図面を参照しつつ詳細に説明する。
【００３２】
そして、本体筐体２には、テープ排出口６、アダプタ挿入口７、コネクタ８が形成されている。テープ排出口６は、カセット収納部２０の左側面部に形成されている。印刷された印刷テープＴは、当該テープ排出口６から本体筐体２外部へ排出される。アダプタ挿入口７及びコネクタ８は、本体筐体２の側面部に形成されている（図２参照）。アダプタ挿入口７には、テープ印刷装置１へ電源を供給する電源アダプタが取り付けられる。コネクタ８には、ＵＳＢケーブルが取り付けられ、テープ印刷装置１と外部装置（例えば、コンピュータ装置７０等）とを通信可能に接続する。
【００３３】
テープ印刷装置１は、本体筐体２上面の前側部分に、キーボード１０を有している。当該キーボード１０は、文字入力キー１１と、印刷キー１２と、リターンキー１３と、カーソルキー１４と、機能キー１５と、電源キー１６と、既定ラベルキー１７等の複数の入力キーを備える。文字入力キー１１は、アルファベット、数字、記号等のキャラクタを示す複数のキーにより構成され、複数のキャラクタを含み得るテキストデータを作成する際に入力される。印刷キー１２は、テキストデータや後述する規定ラベルデータ等を、カセット収納部２０に装着されたテープカセット３０の印刷テープＴに印刷する際に入力される。リターンキー１３は、改行指令や各種処理の実行、選択確定を指令する際に入力される。カーソルキー１４は、液晶ディスプレイ５に表示されたカーソルを、上下、左右に移動させる際に入力される。機能キー１５は、テープ印刷装置１における各種機能を選択する際に入力される。電源キー１６は、テープ印刷装置１に対する電源投入を切り替える際に入力される。既定ラベルキー１７は、後述する既定ラベルデータ記憶領域５４Ａに格納されている既定ラベルデータに基づいて、既定ラベルを作成する際に入力される。又、キーボード１０の下側には、後述する制御回路部５０が形成された制御基板９が配設されている（図２参照）。
【００３４】
そして、テープ印刷装置１は、本体筐体２上面のキーボード１０後方部分に、液晶ディスプレイ５を有する。当該液晶ディスプレイ５は、文字入力キー１１により入力されたテキストや、推奨テープカセット報知画面（図９参照）、印刷可能カセット報知画面（図１１、図１２参照）等を表示する。
【００３５】
次に、テープ印刷装置１のカセット収納部２０及びテープカセット３０の構成について、図３を参照しつつ詳細に説明する。先ず、カセット収納部２０の構成について説明する。
【００３６】
上述したように、カセット収納部２０には、サーマルヘッド２５が配設されている。当該サーマルヘッド２５は、所定個数（本実施形態では、２５６個）の発熱素子と、放熱板２５Ａにより構成される。放熱板２５Ａは、正面視略縦長四角形の平板状で、メッキ鋼板等により形成されている。そして、当該放熱板２５Ａには、所定個数の各発熱素子が、放熱板２５Ａの左端縁部の辺に平行に一列に配設され、接着剤等によって固着されている。そして、放熱板２５Ａは、テープカセット３０の開口部３５（図３参照）に対応する位置に、ビス止め等によって、カセット収納部２０底面に略垂直に立設されて固設されている。従って、各発熱素子の配列方向は、印刷テープＴの搬送方向に略直交する。
【００３７】
又、当該カセット収納部２０には、プラテンローラ２１と、テープサブローラ２２と、テープ駆動ローラ軸２３と、リボン巻取軸２４等が配設されている。プラテンローラ２１は、上述したサーマルヘッド２５と対向する位置に配設されており、印刷テープＴをサーマルヘッド２５の各発熱素子へ押圧しつつ搬送する。
【００３８】
テープサブローラ２２、テープ駆動ローラ軸２３は、プラテンローラ２１よりも印刷テープＴの搬送方向下流側に配設されている。テープ駆動ローラ軸２３は、テープサブローラ２２と対向する位置に配設されており、ステッピングモータ等により構成されるテープ搬送モータ６２（図４参照）によって回転駆動され、テープ搬送ローラ３６（図３参照）を回転駆動する。リボン巻取軸２４は、テープ搬送モータ６２によって適宜の駆動機構を介して回転駆動され、テープカセット３０内の印刷テープＴを搬送する。
【００３９】
そして、当該テープ印刷装置１においては、複数種類のテープカセット３０を、カセット収納部２０に装着可能に構成されている。テープカセット３０の種類は、テープカセット３０に収納されているテープの種類、背景色、印刷色、幅等により分類される。
【００４０】
テープの種類としては、ラミネートテープ、レセプタテープ、布テープを挙げることができる。ラミネートテープは、印刷面を透明フィルムで保護するように構成されたテープであり、インクリボンを用いて印刷されるように構成されているテープである。そして、レセプタテープは、テープ表面（印刷面）を露出した構成のテープであり、感熱発色性を有するテープ（例えば、感熱テープ等）により構成される。布テープは、アイロンを使用して、衣類等に張り付けることができる布製のテープである。
【００４１】
また、テープ幅は、印刷テープＴの幅を意味し、６ｍｍ、９ｍｍ、１２ｍｍ、１８ｍｍ、２４ｍｍ、３６ｍｍ等の種々の幅を含む。背景色は、印刷テープＴの背景を構成する部分の色（地色）を意味し、印刷色は、印刷に用いられるインクリボンの色や、感熱発色した際に発色した色を意味する。
【００４２】
次に、テープカセット３０の構成について説明する。ここでは、テープカセット３０の一例として、ラミネートテープを収容したテープカセット３０について、図面を参照しつつ説明する。尚、レセプタテープを収容したテープカセット３０、布テープを収容したテープカセット３０の構成については、既に公知であるため、その説明は省略する。
【００４３】
図３に示すように、ラミネートテープを収容したテープカセット３０は、フィルムテープＦ、インクリボンＩ、両面粘着テープＤを収容しており、リール３１、リボン巻取リール３２、テープスプール３３、テープスプール３４を備えている。
【００４４】
フィルムテープＦは、透明テープ等により構成され、回転可能に保持されたテープスプール３４に巻回された状態でテープカセット３０に収納されている。インクリボンＩは、フィルムテープＦに印刷を施す際に用いられ、回転可能に保持されたリール３１に巻回された状態でテープカセット３０に収納されている。従って、当該インクリボンＩのインク色は、当該テープカセット３０の印刷色に相当する。又、当該インクリボンＩの一端部は、回転可能に保持されたリボン巻取リール３２に接続されており、使用済みのインクリボンＩは、当該リボン巻取リール３２に巻回される。両面粘着テープＤは、回転可能に保持されたテープスプール３３に、片面に剥離紙を重ね合わされた状態で巻回されており、テープスプール３３から引き出された両面粘着テープＤは、フィルムテープＦに裏貼りされる。従って、ラミネートタイプのテープカセット３０においては、両面粘着テープＤの地色が、背景色となる。
【００４５】
続いて、当該テープ印刷装置１で印刷を行う際のテープカセット３０の動作について説明する。印刷開始に伴い、インクリボンＩは、リール３１から引き出され、フィルムテープＦと重ねあわされた状態で、開口部３５へ搬送される。そして、フィルムテープＦ及びインクリボンＩは、開口部３５において、サーマルヘッド２５及びプラテンローラ２１の間を通過する。従って、テープ印刷装置１は、サーマルヘッド２５の各発熱素子の発熱態様を制御することで、インクリボンＩを用いて所望の感熱印刷を行い得る。開口部３５を通過した後、インクリボンＩは、フィルムテープＦから引き離され、リボン巻取リール３２により巻き取られる。
【００４６】
一方、両面粘着テープＤは、テープスプール３３から引き出され、開口部３５を通過したフィルムテープＦ（即ち、印刷が施されたフィルムテープＦ）と共に、テープ搬送モータ６２の駆動を受けて回転するテープ搬送ローラ３６と、テープ搬送ローラ３６に対向配置されるテープサブローラ２２との間へ搬送される。この時、両面粘着テープＤは、粘着面がフィルムテープＦに面する状態で、テープ搬送ローラ３６とテープサブローラ２２との間へ搬送される。従って、両面粘着テープＤは、テープ搬送ローラ３６とテープサブローラ２２により挟持・搬送されることで、フィルムテープＦに貼着される。フィルムテープＦに両面粘着テープＤが貼着されることで、印刷テープＴを構成する。その後、印刷テープＴは、テープ搬送ローラ３６、テープサブローラ２２の協働により、テープ排出口６から排出される。
【００４７】
ここで、テープカセット３０の底壁部には、突出片３７が設けられている。突出片３７は、４つの突出爪の有無の組合せにより、当該テープカセット３０の種類（テープの種類、背景色、印刷色、幅の組合せ）を示す。又、カセット収納部２０底面には、カセットセンサ５８が、テープカセット３０をカセット収納部２０に装着した場合に、突出片３７と対向する位置に配設されている。従って、カセットセンサ５８は、突出片３７を構成する突出爪の組合せに応じた検出信号により、カセット収納部２０に装着されているテープカセット３０の種類を検出し得る。
【００４８】
カセット収納部２０の左側面には、切断装置４０が配設されている（図３参照）。当該切断装置４０は、補助フレーム４１と、固定刃４２と、枢支軸４３と、操作レバー４４と、可動刃４５により構成されており、制御回路部５０による制御に基づいて、印刷テープＴを切断する。
【００４９】
補助フレーム４１は、テープ印刷装置１の本体フレームの直ぐ内側に立設固定された板状のフレームである。固定刃４２は、当該補助フレーム４１の上縁に沿って、上向きに固着されている。又、補助フレーム４１には、枢支軸４３が固着されており、当該枢支軸４３は、前後方向に延びる操作レバー４４の前端部を回動可能に枢支する。操作レバー４４において、枢支軸４３よりも前側部分には、可動刃４５が、固定刃４２と対向するように下向きに固着されている。そして、操作レバー４４の後端部は、切断用モータ６４（図４参照）に連結された揺動駆動機構（図示せず）に接続されている。従って、当該テープ印刷装置１は、制御回路部５０の制御により、切断用モータ６４を駆動することで、可動刃４５を固定刃４２に接近させ、固定刃４２と可動刃４５の間に位置する印刷テープＴを剪断する。
【００５０】
次に、テープ印刷装置１の制御系について図４を参照しつつ詳細に説明する。上述したように、テープ印刷装置１の中枢を担う制御回路部５０は、制御基板９上に形成されている。図４に示すように、制御回路部５０は、ＣＰＵ５１と、ＣＧＲＯＭ５２と、ＲＯＭ５３と、ＥＥＰＲＯＭ５４と、ＲＡＭ５５と、入出力Ｉ／Ｆ５６と、通信用Ｉ／Ｆ５７等を備えている。
【００５１】
ＣＰＵ５１は、テープ印刷装置１の制御の中枢を担う中央演算装置であり、後述するＲＯＭ５３に記憶されている各種制御プログラム（例えば、図８、図１０参照）を実行する。ＣＧＲＯＭ５２は、各キャラクタに対応するドットパターンデータを記憶しており、液晶ディスプレイ５上にキャラクタを表示する際には、ＣＰＵ５１は、当該ドットパターンデータに基づいて表示する。
【００５２】
ＲＯＭ５３は、テープ印刷装置１の制御に必要な各種制御プログラムやデータを記憶している。上記制御プログラムは、ラベル印刷処理プログラム（図８参照）、印刷可能カセット報知処理プログラム（図１０参照）を含む。
【００５３】
又、ＲＯＭ５３は、カセット種類特定テーブル５３Ａを格納している。図５に示すように、当該カセット種類特定テーブル５３Ａは、カセット収納部２０に装着可能なテープカセット３０の種類毎に、当該テープカセット３０に収納されている印刷テープＴのテープ幅、テープの種類、背景色、印刷色を示す情報を対応付けることによって構成されている。
従って、ＣＰＵ５１は、カセットセンサ５８の検出信号により、カセット収納部２０に装着されているテープカセット３０の種類を特定すれば、カセット種類特定テーブル５３Ａを参照することにより、当該テープカセット３０に収容されている印刷テープＴの詳細な情報（テープ幅等）を取得し得る。又、ＣＰＵ５１は、印刷テープＴの詳細な情報（テープ幅等）を条件として特定すれば、当該カセット種類特定テーブル５３Ａを参照することで、条件に合致する印刷テープＴを収容したテープカセット３０の種類を特定し得る。
【００５４】
ＥＥＰＲＯＭ５４は、テープ印刷装置１の電源をオフしてもこれらの記憶内容を保持可能な記憶装置であり、既定ラベルデータ記憶領域５４Ａ、使用実績情報記憶領域５４Ｂを有している。図７に示すように、既定ラベルデータ記憶領域５４Ａは、印刷データである既定ラベルデータを複数記憶する記憶領域である。当該既定ラベルデータは、所定のデザインを示す画像データにより構成され、一の言語で表現されたメッセージを画像として含んでいる。例えば、ラベル名「注意」に係る既定ラベルデータは、「Ｗａｒｎｉｎｇ−ＨＯＴ！」のメッセージを画像として含んでいる（図７参照）。従って、当該既定ラベルデータを印刷対象とすれば、テープ印刷装置１は、既定ラベルデータが示す画像を、印刷テープＴへ印刷し得る。
【００５５】
又、各既定ラベルデータは、既定ラベルの出力に関する諸条件を示す情報を有している。既定ラベルの出力に関する諸条件としては、必要テープ幅、推奨テープ種類、推奨背景色、推奨印刷色を含んでいる。必要テープ幅は、当該既定ラベルデータに基づいて、既定ラベルを印刷テープＴに印刷する為に必要な印刷テープＴの幅を示す。推奨テープ種類は、当該既定ラベルデータに基づく既定ラベルの印刷に最適な印刷テープＴの種類を示す。推奨背景色は、当該既定ラベルデータに基づく既定ラベルの印刷に最適な印刷テープＴの背景色を示し、当該既定ラベルに係る画像及びメッセージの意味や概念、及び、既定ラベルの使用環境に対応して定められている。推奨印刷色は、当該既定ラベルデータに基づく既定ラベルの印刷に最適な印刷テープＴの印刷色を示し、当該既定ラベルに係る画像及びメッセージの意味や概念、及び、既定ラベルの使用環境に対応して定められている。尚、図７の推奨テープ種類、推奨背景色、推奨印刷色における「−」の表記は、特定の種類や色に限定されることなく、種々のテープ種類や色を採用しても良い旨を意味している。
【００５６】
図６に示すように、使用実績情報記憶領域５４Ｂは、カセット収納部２０に装着可能なテープカセット３０の種類毎に、使用実績情報を格納している。使用実績情報は、当該テープ印刷装置１によって、当該テープカセット３０に収納されている印刷テープＴを使用した印刷を行ったことがあるか否かを示す。従って、使用実績情報は、初期状態では、印刷テープＴを使用した印刷を行ったことがないことを意味する「×（実績なし）」を示し、印刷テープＴを使用した印刷を行った時点で、ＣＰＵ５１により「○（実績あり）」に変更される。
【００５７】
ＲＡＭ５５は、ＣＰＵ５１による各種演算結果を一時的に記憶する。当該ＲＡＭ５５には、印刷バッファ５５Ａ、編集入力領域５５Ｂ、表示画像バッファ５５Ｃ等の各種のメモリ領域が設けられている。印刷バッファ５５Ａには、複数の文字や記号等の印刷用ドットパターンを格納する。編集入力領域５５Ｂは、印刷データを編集する際に印刷データを格納する。又、表示画像バッファ５５Ｃは、液晶ディスプレイ５に表示される印刷イメージデータ等を格納する。
【００５８】
入出力Ｉ／Ｆ５６には、キーボード１０と、カセットセンサ５８と、液晶ディスプレイコントローラ６０と、ヘッド駆動回路６１と、搬送駆動回路６３と、切断駆動回路６５とが夫々接続されている。カセットセンサ５８は、上述したように、カセット収納部２０に装着されたテープカセット３０の種類を検出する。液晶ディスプレイコントローラ６０は、液晶ディスプレイ５に表示データを出力する為のビデオＲＡＭを有し、液晶ディスプレイ５の表示態様を制御する。ヘッド駆動回路６１は、サーマルヘッド２５の駆動制御を行う際に用いられ、サーマルヘッド２５を構成する各発熱素子の発熱態様を制御する。搬送駆動回路６３は、印刷データの印刷やフィード処理に際し、テープ搬送モータ６２の駆動制御を行い、印刷テープＴの搬送制御を行う。切断駆動回路６５は、印刷テープＴを切断する際に、切断用モータ６４の駆動制御を行う。
【００５９】
通信用Ｉ／Ｆ５７は、例えば、ＵＳＢ（Universal Serial Bus）等から構成され、外部装置（例えば、コンピュータ装置７０）とＵＳＢケーブル等によって接続され、当該外部装置との間で双方向データ通信を行う際に用いられる。
【００６０】
続いて、第１実施形態に係るテープ印刷装置１のラベル印刷処理プログラムについて、図８を参照しつつ詳細に説明する。当該ラベル印刷処理プログラムは、既定ラベルキー１７が入力され、既定ラベルデータ記憶領域５４Ａ内の既定ラベルデータから、カーソルキー１４等の操作によって、ユーザ所望の規定ラベルデータが選択された時点で、ＣＰＵ５１により実行される。
【００６１】
図８に示すように、ラベル印刷処理プログラムの実行を開始すると、ＣＰＵ５１は、先ず、ユーザによって選択された既定ラベルデータのラベル印刷条件を取得する（Ｓ１）。具体的には、ＣＰＵ５１は、ユーザ所望の規定ラベルデータの必要テープ幅、推奨テープ種類、推奨背景色、推奨印刷色の情報を取得する。ラベル印刷条件を取得した後、ＣＰＵ５１は、Ｓ２に処理を移行する。
【００６２】
Ｓ２では、ＣＰＵ５１は、カセットセンサ５８からの検出信号の有無に基づいて、カセット収納部２０にテープカセット３０が装着されているか否かを判断する。テープカセット３０がカセット収納部２０に装着されている場合（Ｓ２：ＹＥＳ）、ＣＰＵ５１は、Ｓ３に処理を移行する。一方、テープカセット３０がカセット収納部２０に装着されていない場合（Ｓ２：ＮＯ）、ＣＰＵ５１は、Ｓ１３に処理を移行する。
【００６３】
Ｓ３においては、ＣＰＵ５１は、カセットセンサ５８からの検出信号と、カセット種類特定テーブル（図５参照）に基づいて、装着カセット種別特定処理を実行する。装着カセット種別特定処理（Ｓ３）では、ＣＰＵ５１は、カセットセンサ５８からの検出信号に基づいて、カセット収納部２０に装着されているテープカセット３０（以下、装着カセットという）の種類を特定する。そして、ＣＰＵ５１は、セット種類特定テーブル（図５参照）を参照して、特定した装着カセットに収容されている印刷テープＴのテープ幅、テープの種類、背景色、印刷色を示す情報を取得する。これらの情報をＲＡＭ５５に格納し、装着カセット種別特定処理（Ｓ３）を終了すると、ＣＰＵ５１は、Ｓ４に処理を移行する。
【００６４】
Ｓ４に移行すると、ＣＰＵ５１は、既定ラベルデータの必要テープ幅と、装着カセットに係るテープ幅の情報に基づいて、装着カセットに収納されている印刷テープＴ（以下、装着テープという）に対して、既定ラベルデータを印刷可能であるか否かを判断する。装着テープに印刷可能である場合（Ｓ４：ＹＥＳ）、ＣＰＵ５１は、Ｓ５に処理を移行する。一方、装着テープに印刷できない場合（Ｓ４：ＮＯ）、ＣＰＵ５１は、Ｓ１３に処理を移行する。
【００６５】
Ｓ５では、ＣＰＵ５１は、既定ラベルデータの推奨テープ種別と、装着カセットに係るテープ種類の情報に基づいて、装着テープの種別（ラミネートテープ、レセプタテープ、布テープ等）が既定ラベルデータに係る推奨テープ種別であるか否かを判断する。装着テープの種別が推奨テープ種別である場合（Ｓ５：ＹＥＳ）、ＣＰＵ５１は、Ｓ６に処理を移行する。一方、装着テープの種別が推奨テープ種別でない場合（Ｓ５：ＮＯ）、ＣＰＵ５１は、Ｓ８に処理を移行する。
【００６６】
Ｓ６においては、ＣＰＵ５１は、既定ラベルデータの推奨背景色と、装着カセットに係る印刷テープＴの背景色に関する情報に基づいて、装着テープの背景色が既定ラベルデータに係る推奨背景色であるか否かを判断する。装着テープの背景色が推奨背景色である場合（Ｓ６：ＹＥＳ）、ＣＰＵ５１は、Ｓ７に処理を移行する。一方、装着テープの背景色が推奨背景色でない場合（Ｓ６：ＮＯ）、ＣＰＵ５１は、Ｓ８に処理を移行する。
【００６７】
Ｓ７に移行すると、ＣＰＵ５１は、既定ラベルデータの推奨印刷色と、装着カセットに係る印刷テープＴの印刷色に関する情報に基づいて、装着テープの印刷色が既定ラベルデータに係る推奨印刷色であるか否かを判断する。装着テープの印刷色が推奨印刷色である場合（Ｓ７：ＹＥＳ）、ＣＰＵ５１は、Ｓ１４に処理を移行する。一方、装着テープの印刷色が推奨印刷色でない場合（Ｓ７：ＮＯ）、ＣＰＵ５１は、Ｓ８に処理を移行する。
【００６８】
ここで、Ｓ８に移行する場合は、Ｓ４〜Ｓ７の処理結果により、「カセット収納部２０には、既定ラベルデータを印刷可能なテープカセット３０が装着されているが、当該既定ラベルデータの印刷出力により適した種類のテープカセット３０が存在する」と判定された場合である。
【００６９】
Ｓ８では、ＣＰＵ５１は、先ず、既定ラベルデータに係る必要テープ幅、推奨テープ種別、推奨背景色、推奨印刷色と、カセット種別特定テーブル（図５参照）に基づいて、推奨カセットを特定する。推奨カセットとは、既定ラベルデータに係る必要テープ幅、推奨テープ種別、推奨背景色、推奨印刷色の全てを満たす印刷テープＴが収容されているテープカセット３０の種類を意味する。推奨カセットの種類を特定した後、ＣＰＵ５１は、使用実績情報記憶領域５４Ｂを参照して、当該推奨カセットの使用実績情報を確認する。その後、ＣＰＵ５１は、Ｓ９に処理を移行する。
【００７０】
Ｓ９においては、ＣＰＵ５１は、Ｓ８における確認結果に基づいて、推奨カセットの使用実績があるか否かを判断する。推奨カセットの使用実績がある場合（Ｓ９：ＹＥＳ）、ＣＰＵ５１は、Ｓ１０に処理を移行する。一方、推奨カセットの使用実績がない場合（Ｓ９：ＮＯ）、ＣＰＵ５１は、Ｓ１１に処理を移行する。
【００７１】
Ｓ１０に移行すると、ＣＰＵ５１は、推奨テープカセット報知画面（図９（Ａ）参照）を液晶ディスプレイ５に表示し、装着カセットよりも既定ラベルデータの出力に適したテープカセット３０（推奨カセット）の種類をユーザに報知する。推奨テープカセット報知画面（図９（Ａ）参照）を液晶ディスプレイ５に表示した後、ＣＰＵ５１は、Ｓ１２に処理を移行する。
【００７２】
図９（Ａ）に示すように、Ｓ１０で表示される推奨テープカセット報知画面は、推奨カセットに係るカセット名（例えば、テープカセット（Ｈ）等）を表示する。このＳ１０に移行する場合、当該推奨カセットについての使用実績があるので、ユーザは、少なくとも1回以上、推奨カセットに係るテープカセット３０を使用した経験があると考えられる。従って、図９（Ａ）のように、推奨テープカセット報知画面において、推奨カセットのカセット名を報知すれば、ユーザは、テープ種別や背景色等の詳細な情報がなくとも、推奨カセットに係るテープカセット３０の種類を特定し得る。
【００７３】
Ｓ１１においては、ＣＰＵ５１は、推奨テープカセット報知画面（図９（Ｂ）参照）を液晶ディスプレイ５に表示し、推奨カセットの種類をユーザに報知する。推奨テープカセット報知画面（図９（Ｂ）参照）を液晶ディスプレイ５に表示した後、ＣＰＵ５１は、Ｓ１２に処理を移行する。
【００７４】
図９（Ｂ）に示すように、Ｓ１１で表示される推奨テープカセット報知画面は、推奨カセットに係るカセット名（例えば、テープカセット（Ｈ）等）に加え、推奨カセットに係るテープ種類、背景色、印刷色の内容を表示する。このＳ１１に移行する場合、当該推奨カセットについての使用実績がないので、ユーザは、推奨カセットに係るテープカセット３０を1回も使用したことがないと考えられる。従って、図９（Ａ）のように、推奨テープカセット報知画面において、推奨カセットのカセット名のみを報知しても、当該推奨カセットに該当するテープカセット３０の種類を特定し得ない場合がある。この点、Ｓ１１では、推奨テープカセット報知画面において、テープ種別や背景色等の詳細な情報も報知するので、ユーザは、推奨カセットに係るテープカセット３０の種類を、確実に特定し得る。
【００７５】
Ｓ１２では、ＣＰＵ５１は、キーボード１０の操作信号に基づいて、当該既定ラベルデータの印刷を続行するか否かを判断する。図９に示すように、Ｓ１０、Ｓ１１で表示される推奨テープカセット報知画面には、何れも「ＹＥＳ」「ＮＯ」の２つの選択肢が含まれている。従って、ＣＰＵ５１は、これらの選択肢の何れが選択されたかに基づいて、Ｓ１２の判断を行う。既定ラベルデータの印刷を続行すべく、選択肢「ＹＥＳ」が選択された場合（Ｓ１２：ＹＥＳ）、ＣＰＵ５１は、Ｓ１４に処理を移行する。一方、既定ラベルデータの印刷を中止すべく、選択肢「ＮＯ」が選択された場合（Ｓ１２：ＮＯ）、ＣＰＵ５１は、Ｓ１５に処理を移行する。
【００７６】
Ｓ１３においては、ＣＰＵ５１は、カセット収納部２０にテープカセット３０が装着されていないこと（Ｓ２：ＮＯ）、又は、既定ラベルデータを印刷することができないテープカセット３０がカセット収納部２０に装着されていること（Ｓ４：ＮＯ）に基づいて、既定ラベルデータを印刷可能なテープカセット３０（以下、印刷可能カセットという）を報知すべく、印刷可能カセット報知処理を実行する。具体的には、ＣＰＵ５１は、印刷可能カセット報知処理プログラム（図１０参照）を実行することで、既定ラベルデータを印刷可能なテープカセット３０の種類を、ユーザに報知する。印刷可能カセット報知処理（Ｓ１３）の詳細については、後に図面を参照しつつ詳細に説明する。印刷可能カセット報知処理（Ｓ１３）終了後、ＣＰＵ５１は、Ｓ１５に処理を移行する。
【００７７】
Ｓ１４では、ＣＰＵ５１は、既定ラベル印刷処理を実行する。具体的には、ＣＰＵ５１は、既定ラベルデータに基づいて、カセット収納部２０に装着されているテープカセット３０の印刷テープＴに対する印刷を行う。これにより、テープ印刷装置１は、カセット収納部２０に装着されているテープカセット３０に係る条件で、既定ラベルデータに基づく既定ラベルを出力し得る。この時、ＣＰＵ５１は、カセット収納部２０に装着されている該テープカセット３０に係る使用実績情報を、「○（実績あり）」に変更する。既定ラベル印刷処理を終了すると、ＣＰＵ５１は、ラベル印刷処理プログラムを終了する。
【００７８】
Ｓ１５に移行すると、ＣＰＵ５１は、キャンセル処理を実行し、現在選択されている既定ラベルデータの印刷出力に関する処理を取り消す。具体的には、ＣＰＵ５１は、既定ラベルデータの選択解除等の種々の処理を実行する。その後、ＣＰＵ５１は、ラベル印刷処理プログラムを終了する。
【００７９】
続いて、印刷可能カセット報知処理プログラムについて、図１０を参照しつつ詳細に説明する。印刷可能カセット報知処理（Ｓ１３）に移行すると、ＣＰＵ５１は、印刷可能カセット報知処理プログラムの実行を開始する。図１０に示すように、ＣＰＵ５１は、既定ラベルデータ記憶領域５４Ａを参照し、選択されている既定ラベルデータに関する推奨印刷条件があるか否かを判断する（Ｓ２１）。ここで、推奨印刷条件とは、推奨テープ種別、推奨背景色、推奨印刷色に既定された特定のテープ種別、背景色、印刷色を意味する。推奨印刷条件がある場合（Ｓ２１：ＹＥＳ）、ＣＰＵ５１は、Ｓ２２に処理を移行する。一方、推奨印刷条件がない場合（Ｓ２１：ＮＯ）、ＣＰＵ５１は、Ｓ２７に処理を移行する。
【００８０】
Ｓ２２においては、ＣＰＵ５１は、推奨カセット特定処理を実行する。具体的には、ＣＰＵ５１は、既定ラベルデータに係る必要テープ幅、推奨テープ種別、推奨背景色、推奨印刷色と、カセット種別特定テーブル（図５参照）に基づいて、推奨カセットを特定する。特定した推奨カセットに関する情報をＲＡＭ５５に格納した後、ＣＰＵ５１は、Ｓ２３に処理を移行する。
【００８１】
Ｓ２３では、ＣＰＵ５１は、推奨カセット特定処理（Ｓ２２）で特定された推奨カセットに関して、使用実績確認処理を実行する。具体的には、ＣＰＵ５１は、使用実績情報記憶領域５４Ｂを参照して、当該推奨カセットの使用実績情報の内容を確認する。その後、ＣＰＵ５１は、Ｓ２４に処理を移行する。
【００８２】
Ｓ２４に移行すると、ＣＰＵ５１は、使用実績確認処理（Ｓ２３）の処理結果に基づいて、推奨カセットに使用実績があるか否かを判断する。推奨カセットに使用実績がある場合（Ｓ２４：ＹＥＳ）、ＣＰＵ５１は、Ｓ２５に処理を移行する。一方、推奨カセットに使用実績がない場合（Ｓ２４：ＮＯ）、ＣＰＵ５１は、Ｓ２６に処理を移行する。
【００８３】
Ｓ２５においては、ＣＰＵ５１は、印刷可能カセット報知画面（図１１参照）を液晶ディスプレイ５に表示し、既定ラベルデータを印刷可能なテープカセット３０の種類をユーザに報知する。尚、推奨カセット特定処理（Ｓ２２）で特定された推奨カセットは、既定ラベルデータの出力に適したテープカセット３０であるため、印刷可能カセットの一つに該当する。印刷可能カセット報知画面を液晶ディスプレイ５に表示した後、ＣＰＵ５１は、印刷可能カセット報知処理プログラムを終了し、ラベル印刷処理プログラムのＳ１５に処理を移行する。
【００８４】
図１１に示すように、Ｓ２５で表示される印刷可能カセット報知画面は、当該既定ラベルデータを出力する為に必要な印刷テープＴのテープ幅と共に、当該既定ラベルデータに係る印刷可能カセットのカセット名（例えば、テープカセット（Ｈ）等）を表示する。このＳ２５に移行する場合、当該推奨カセットについての使用実績があるので、ユーザは、少なくとも１回以上、印刷可能カセットであり、且つ、推奨カセットに該当するテープカセット３０を使用した経験があると考えられる。従って、印刷可能カセット報知画面（図１１参照）において、当該テープカセット３０のカセット名を報知すれば、ユーザは、テープ種別や背景色等の詳細な情報がなくとも、印刷可能カセットに該当するテープカセット３０の種類を特定し得る。
【００８５】
Ｓ２６では、ＣＰＵ５１は、印刷可能カセット報知画面（図１２（Ａ）参照）を液晶ディスプレイ５に表示し、既定ラベルデータを印刷可能なテープカセット３０の種類をユーザに報知する。印刷可能カセット報知画面（図１２（Ａ）（Ｂ）参照）を液晶ディスプレイ５に表示した後、ＣＰＵ５１は、印刷可能カセット報知処理プログラムを終了し、ラベル印刷処理プログラムのＳ１５に処理を移行する。
【００８６】
具体的に説明すると、Ｓ２６で表示される印刷可能カセット報知画面は、図１１と同様に、当該既定ラベルデータを出力する為に必要な印刷テープＴのテープ幅の表示と共に、リンクボタンＬを含んでいる（図１２（Ａ）参照）。そして、リンクボタンＬが入力された場合、ＣＰＵ５１は、テープカセット詳細画面を表示する。図１２（Ｂ）に示すように、当該テープカセット詳細画面は、推奨カセット特定処理（Ｓ２２）で特定された推奨カセットのカセット名、当該推奨カセットに収納されている印刷テープＴのテープ幅、テープ種類、背景色、印刷色を、ユーザに報知する。
【００８７】
このＳ２６に移行する場合、当該推奨カセットについての使用実績がないので、ユーザは、印刷可能カセットであり、且つ、推奨カセットに該当するテープカセット３０を、1回も使用したことがないと考えられる。従って、印刷可能カセット報知画面及びテープカセット詳細画面（図１２（Ａ）（Ｂ）参照）において、当該テープカセット３０のカセット名に加えて、当該テープカセットに収納されている印刷テープＴのテープ幅、テープ種類、背景色、印刷色を報知すれば、ユーザは、印刷可能カセットに該当するテープカセット３０の種類を、確実に特定し得る。
【００８８】
Ｓ２７においては、ＣＰＵ５１は、印刷可能カセット特定処理を実行する。具体的には、ＣＰＵ５１は、既定ラベルデータに係る必要テープ幅と、カセット種別特定テーブル（図５参照）に既定されている各テープカセット３０のテープ幅に基づいて、カセット収納部２０に装着可能なテープカセット３０の内、必要テープ幅以上のテープ幅を有する印刷テープＴを収納したテープカセット３０の種類を、印刷可能カセットとして特定する。特定した印刷可能カセットに関する情報をＲＡＭ５５に格納した後、ＣＰＵ５１は、Ｓ２８に処理を移行する。
【００８９】
Ｓ２８では、ＣＰＵ５１は、印刷可能カセット特定処理（Ｓ２７）で特定された印刷可能カセットに関して、使用実績確認処理を実行する。具体的には、ＣＰＵ５１は、使用実績情報記憶領域５４Ｂを参照して、印刷可能カセット特定処理（Ｓ２７）で特定された印刷可能カセットの使用実績情報の内容を夫々確認する。その後、ＣＰＵ５１は、Ｓ２９に処理を移行する。
【００９０】
Ｓ２９に移行すると、ＣＰＵ５１は、使用実績確認処理（Ｓ２８）の処理結果に基づいて、印刷可能カセット特定処理（Ｓ２７）で特定された印刷可能カセットに使用実績があるか否かを判断する。印刷可能カセットに使用実績がある場合（Ｓ２９：ＹＥＳ）、ＣＰＵ５１は、Ｓ３０に処理を移行する。一方、推奨カセットに使用実績がない場合（Ｓ２９：ＮＯ）、ＣＰＵ５１は、Ｓ３１に処理を移行する。
【００９１】
Ｓ３０においては、ＣＰＵ５１は、印刷可能カセット報知画面（図１１参照）を液晶ディスプレイ５に表示し、既定ラベルデータを印刷可能なテープカセット３０の種類をユーザに報知する。尚、このＳ３０においては、ＣＰＵ５１は、印刷可能カセット特定処理（Ｓ２７）で特定された全ての印刷可能カセットのカセット名を、印刷可能カセット報知画面上に表示する。印刷可能カセット報知画面を液晶ディスプレイ５に表示した後、ＣＰＵ５１は、印刷可能カセット報知処理プログラムを終了し、ラベル印刷処理プログラムのＳ１５に処理を移行する。
【００９２】
そして、Ｓ３０の場合においても、印刷可能カセット報知画面は、当該既定ラベルデータを出力する為に必要な印刷テープＴのテープ幅と共に、印刷可能カセット特定処理（Ｓ２７）で特定された全ての印刷可能カセットのカセット名（例えば、テープカセット（Ｈ）等）を表示する。上述したように、このＳ３０に移行する場合、当該印刷可能カセットについての使用実績があるので、ユーザは、少なくとも１回以上、印刷可能カセットに該当するテープカセット３０を使用した経験があると考えられる。従って、印刷可能カセット報知画面において、当該テープカセット３０のカセット名を報知すれば、ユーザは、テープ種別や背景色等の詳細な情報がなくとも、印刷可能カセットに該当するテープカセット３０の種類を特定し得る。
【００９３】
Ｓ３１では、ＣＰＵ５１は、印刷可能カセット報知画面（図１２）（Ａ）参照）を液晶ディスプレイ５に表示し、既定ラベルデータを印刷可能なテープカセット３０の種類をユーザに報知する。印刷可能カセット報知画面（図１２（Ａ）（Ｃ）参照）を液晶ディスプレイ５に表示した後、ＣＰＵ５１は、印刷可能カセット報知処理プログラムを終了し、ラベル印刷処理プログラムのＳ１５に処理を移行する。
【００９４】
Ｓ３１で表示される印刷可能カセット報知画面は、図１１と同様に、当該既定ラベルデータを出力する為に必要な印刷テープＴのテープ幅の表示と共に、リンクボタンＬを含んでいる（図１２（Ａ）参照）。そして、リンクボタンＬが入力された場合、ＣＰＵ５１は、テープカセット詳細画面（図１２（Ｃ）参照）を表示する。当該テープカセット詳細画面は、印刷可能カセット特定処理（Ｓ２７）で特定された印刷可能カセットの内、一のテープカセット３０のカセット名、当該テープカセット３０内の印刷テープＴのテープ幅、テープ種類、背景色、印刷色の表示と共に、候補変更ボタンＮを含む。更に、候補変更ボタンＮが入力された場合、ＣＰＵ５１は、当該テープカセット詳細画面における表示対象である印刷カセットの種類を、印刷可能カセット特定処理（Ｓ２７）で特定された他の印刷可能カセットに変更して、変更後の印刷カセットの詳細を表示する。
【００９５】
このＳ３１に移行する場合、印刷可能カセットについての使用実績がないので、ユーザは、印刷可能カセットに該当するテープカセット３０を、1回も使用したことがないと考えられる。従って、印刷可能カセット報知画面及びテープカセット詳細画面（図１２（Ａ）（Ｃ）参照）において、当該テープカセット３０のカセット名に加えて、当該テープカセットに収納されている印刷テープＴのテープ幅、テープ種類、背景色、印刷色を報知すれば、ユーザは、印刷可能カセットに該当するテープカセット３０の種類を、より具体的に特定し得る。
【００９６】
以上、説明したように、第１実施形態に係るテープ印刷装置１は、カセット収納部２０に装着されたテープカセット３０の印刷テープＴに対して、サーマルヘッド２５を用いて所望の印刷を行い得る。そして、当該テープ印刷装置１は、キーボード１０と、既定ラベルデータ記憶領域５４Ａと、カセットセンサ５８と、使用実績情報記憶領域５４Ｂと、液晶ディスプレイ５を有している。そして、当該テープ印刷装置１は、ユーザによって選択された規定ラベルデータの出力態様を示す出力条件と、カセットセンサ５８からの検出信号に基づき特定されたテープカセット３０の使用実績情報に基づいて、当該既定ラベルデータの出力可能なテープカセット３０の種類（推奨カセット、印刷可能カセット）に関する情報を、液晶ディスプレイ５に表示する（図９、図１１、図１２参照）。
【００９７】
ここで、当該テープ印刷装置１は、既定ラベルデータを出力可能なテープカセット３０の種類（推奨カセット、印刷可能カセット）を報知する際に、当該テープカセット３０に係る使用実績がある場合には、当該テープカセット３０の種類を端的に示す当該テープカセット３０のカセット名を報知し（図９（Ａ）、図１１参照）し、使用実績がない場合には、当該テープカセット３０に係るカセット名に加え、更に詳細な情報（例えば、印刷色や背景色等）を報知する（図９（Ｂ）、図１２参照）。従って、テープ印刷装置１は、推奨テープカセット報知画面（図９参照）や、印刷可能カセット報知画面（図１１、図１２）により、ユーザの使用経験に応じた態様で、既定ラベルデータを出力可能なテープカセット３０の種類を報知する。これにより、ユーザは、推奨テープカセット報知画面（図９参照）や、印刷可能カセット報知画面（図１１、図１２）を視認することで、既定ラベルデータを出力可能なテープカセット３０の種類を、確実に把握することができ、既定ラベルデータの出力に関する適切な措置（例えば、印刷可能カセットへの交換等）を講じることができる。
【００９８】
又、当該テープ印刷装置１は、既定ラベルデータに係る必要テープ幅（出力範囲）と、カセット種類特定テーブル５３Ａにおける各テープカセット３０のテープ幅（印刷範囲情報）に基づいて、既定ラベルデータを印刷可能なテープカセット３０の種類を特定して、印刷可能カセットとして報知する。従って、当該テープ印刷装置１によれば、カセット収納部２０に装着されているテープカセット３０を用いて、選択された規定ラベルデータを出力し得ない場合であっても、ユーザは、当該規定ラベルデータを出力可能なテープカセット３０の種類を確実に特定することができる。
【００９９】
更に、当該テープ印刷装置１は、既定ラベルデータに係る推奨印刷条件（推奨テープ種類、推奨印刷色、推奨背景色）と、カセット種類特定テーブル５３Ａにおける各テープカセット３０のテープ種類、印刷色、背景色に基づいて、既定ラベルデータの印刷に関して推奨されるテープカセット３０の種類を特定して、推奨カセットとして報知する。ここで、印刷色及び背景色は、テープ印刷装置１における印刷に関する配色を意味する。又、既定ラベルデータは、所定の意味内容を示す画像等により構成されているため、印刷時の配色によっては、当該既定ラベルの意味内容を明確に伝達可能となったり、意味内容が不明確となる場合がある。従って、当該テープ印刷装置１によれば、カセット収納部２０に装着されているテープカセット３０を用いて、選択された規定ラベルデータを適正な配色で出力し得ない場合であっても、ユーザは、当該規定ラベルデータを適性な配色で出力可能なテープカセット３０の種類を確実に特定することができ、既定ラベルデータが示す意味内容を明確に伝達可能な態様で出力可能なテープカセット３０を、カセット収納部２０に装着し得る。
【０１００】
又、ラベル印刷処理プログラム（図８参照）、印刷可能カセット報知処理プログラム（図１０参照）は、液晶ディスプレイ５、制御回路部５０、カセット収納部２０、カセットセンサ５８を有するテープ印刷装置１で実行されることで、上述したテープ印刷装置１と同様の効果を生じさせ得る。
【０１０１】
〈第２実施形態〉
次に、上述した第１実施形態と異なる別の実施形態（第２実施形態）について、図面を参照しつつ詳細に説明する。第２実施形態は、本発明を印刷システムに適用した実施形態である。第２実施形態に係る印刷システム１００は、テープ印刷装置１と、コンピュータ装置７０とを通信可能に接続して構成されている。
【０１０２】
尚、第２実施形態に係るテープ印刷装置１は、第１実施形態に係るテープ印刷装置１と同一の基本的構成を有しており、ラベル印刷処理プログラム（図８参照）、印刷可能カセット報知処理プログラム（図１０参照）、カセット種類特定テーブル（図５参照）、既定ラベルデータ記憶領域５４Ａ（図７参照）、使用実績情報記憶領域５４Ｂ（図６参照）を、ＲＯＭ５３やＥＥＰＲＯＭ５４に格納していない点が第１実施形態と相違する。従って、第１実施形態と同一の構成に関する説明は省略する。
【０１０３】
第２実施形態に係るコンピュータ装置７０は、所謂、パーソナルコンピュータであり、制御部７１を含む本体部７２と、ディスプレイ７３と、入力操作部７４を有している。当該制御部７１は、ＣＰＵ、ＲＯＭ、ＲＡＭ、ＨＤＤにより構成されており、コンピュータ装置７０に対する制御の中枢を担う。ＣＰＵは、制御部７１による制御の中枢を担う中央演算装置であり、ＲＯＭに格納されているラベル印刷処理プログラム（図８参照）、印刷可能カセット報知処理プログラム（図１０参照）や、ＨＤＤに格納されている各種アプリケーションプログラム（例えば、文書作成プログラム等）を実行する。ＲＯＭは、コンピュータ装置７０の制御を行う上で必要な各種データや制御プログラムを格納している。ＲＡＭは、ＣＰＵによる演算結果等を一時的に記憶するメモリである。
【０１０４】
ＨＤＤは、コンピュータ装置７０の制御に必要なＯＳ（オペレーティングシステム）等の基本プログラムや、ラベル印刷処理プログラム（図８参照）、印刷可能カセット報知処理プログラム（図１０参照）、カセット種類特定テーブル（図５参照）や各種アプリケーションプログラムを格納する補助記憶装置であり、既定ラベルデータ記憶領域５４Ａ（図７参照）、使用実績情報記憶領域５４Ｂ（図６参照）を有している。
【０１０５】
又、当該制御部７１は、ディスプレイ７３、入力操作部７４と接続されている。ディスプレイ７３は、コンピュータ装置７０（即ち、制御部７１）の制御に基づいて、種々の情報を表示する。入力操作部７４は、キーボードやマウス等により構成され、種々の指令を入力する際に用いられる。従って、当該制御部７１は、入力操作部７４の操作に基づいて、種々の制御を行うことができる。又、当該コンピュータ装置７０は、制御部７１による制御の結果に基づいて、ディスプレイ７３に種々の情報（即ち、推奨テープカセット報知画面や、印刷可能カセット報知画面等）を表示し得る。
【０１０６】
第２実施形態においては、制御部７１のＣＰＵは、ＨＤＤに格納されているラベル印刷処理プログラム（図８参照）を実行することにより、第１実施形態に係るテープ印刷装置１と同様の効果を奏し得る。尚、第２実施形態においては、コンピュータ装置７０のＣＰＵは、ラベル印刷処理プログラム（図８参照）等を実行することにより、推奨テープカセット報知画面（図９参照）や、印刷可能カセット報知画面（図１１、図１２）を、ディスプレイ７３に表示する。
【０１０７】
尚、第２実施形態においては、制御部７１のＣＰＵは、テープ印刷装置１のカセット収納部２０に装着されているテープカセット３０の種類を特定する際に、カセットセンサ５８の検出信号をテープ印刷装置１から取得する。又、既定ラベル印刷処理（Ｓ１３）において、制御部７１のＣＰＵは、テープ印刷装置１に対して、既定ラベルデータと印刷実行指示を出力することで、テープ印刷装置１に、既定ラベルデータに基づく印刷を実行させる。これらの点を除き、第２実施形態において、制御部７１のＣＰＵがラベル印刷処理プログラム（図８参照）に従って実行する処理内容は、第１実施形態と同様である。従って、第２実施形態に係る印刷システム１００においても、第１実施形態に係るテープ印刷装置１と同様の効果を奏する。
【０１０８】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、カセットセンサ５８により、カセット収納部２０に装着されているテープカセット３０の種類を特定する構成であったが、「複数種類のカートリッジから、一のカートリッジの種類を特定する構成」に関しては、この態様に限定されるものではない。例えば、液晶ディスプレイ５上に、カセット収納部２０に装着可能なテープカセット３０の種類をリスト表示し、所望のテープカセット３０の種類を、ユーザによるキーボード１０の入力操作で選択・特定する構成であってもよい。これにより、ユーザは、実際にテープカセット３０を装着することなく、選択したテープカセット３０が、所望の規定ラベルデータを出力可能なテープカセット３０であるか否か、所望の規定ラベルデータを出力可能なテープカセット３０の種類等を把握し得る。
【０１０９】
又、上述した実施形態においては、印刷装置として、テープカセットに収納されたテープに印刷するテープ印刷装置を採用していたが、この態様に限定されるものではない。例えば、ロール状のラベルシートを保持したラベルホルダを、所定の収容部に装着可能に構成されたラベルプリンタを採用することができる。
【符号の説明】
【０１１０】
１      テープ印刷装置
５      液晶ディスプレイ
１０    キーボード
２０    カセット収納部
２５    サーマルヘッド
３０    テープカセット
５０    制御回路部
５１    ＣＰＵ
５３    ＲＯＭ
５３Ａ  カセット種類特定テーブル
５４    ＥＥＰＲＯＭ
５４Ａ  既定ラベルデータ記憶領域
５４Ｂ  使用実績情報記憶領域
５８    カセットセンサ
７０    コンピュータ装置
７１    制御部
７３    ディスプレイ
７４    入力操作部
１００  印刷システム
【図１】
0005810757.tif 000002
【図２】
0005810757.tif 000003
【図３】
0005810757.tif 000004
【図４】
0005810757.tif 000005
【図５】
0005810757.tif 000006
【図６】
0005810757.tif 000007
【図７】
0005810757.tif 000008
【図８】
0005810757.tif 000009
【図９】
0005810757.tif 000010
【図１０】
0005810757.tif 000011
【図１１】
0005810757.tif 000012
【図１２】
0005810757.tif 000013
【図１３】
0005810757.tif 000014